(57)【要約】【課題】  下側キャップ部材との間にゴミが入りにくく且つ外観的に良好な形態でライン型の把手が取り付けられた二方框型の家具用扉。【解決手段】  本発明の二方框型の家具用扉（１）は、中央に配置された鏡板（１０）と、鏡板を左右から挟み込んで鏡板の枠の一部を構成するための一対の框部材（１１，１２）と、鏡板を上下から挟み込んで鏡板の枠の一部を構成するための上側キャップ部材（１３）および下側キャップ部材（１４）と、下側キャップ部材の下側においてほぼ一定の断面形状で横方向に細長く延びるライン型の把手（１５）とを備えている。下側キャップ部材は、ほぼ水平に延びる底部と、前方において底部から下方へ延びる垂下部とを有する。ライン型の把手は、下側キャップ部材の垂下部の後側において底部に当接する当接部を有する。【選択図】  図３
2008025098.tif 000002
【特許請求の範囲】
【請求項１】
中央に配置された鏡板と、
前記鏡板を左右から挟み込んで前記鏡板の枠の一部を構成するための一対の框部材と、
前記鏡板を上下から挟み込んで前記鏡板の枠の一部を構成するための上側キャップ部材および下側キャップ部材と、
前記下側キャップ部材の下側においてほぼ一定の断面形状で横方向に細長く延びるライン型の把手とを備え、
前記下側キャップ部材は、ほぼ水平に延びる底部と、前方において前記底部から下方へ延びる垂下部とを有し、
前記ライン型の把手は、前記下側キャップ部材の前記垂下部の後側において前記底部に当接する当接部を有することを特徴とする二方框型の家具用扉。
【請求項２】
前記ライン型の把手は、後方において前記当接部から上方へ延びる取付け部を有し、該取付け部を介して前記一対の框部材に取り付けられることを特徴とする請求項１に記載の二方框型の家具用扉。
【請求項３】
前記鏡板は、ガラスにより形成されていることを特徴とする請求項１または２に記載の二方框型の家具用扉。
【発明の詳細な説明】
【技術分野】
【０００１】
本発明は、二方框型の家具用扉に関し、特にキャビネットや吊り戸棚などの家具に用いられる二方框型の扉に関するものである。
【背景技術】
【０００２】
たとえばキャビネットや吊り戸棚などの家具に用いられる扉として、二方框型の家具用扉が知られている。二方框型の家具用扉は、たとえば木製の框部材が中央の鏡板を左右から挟み込み且つ例えばアルミニウム製のキャップ部材が鏡板を上下から挟み込む形態を有し、一対の框部材と一対のキャップ部材とにより矩形状の比較的軽快な外観を有する枠構造が構成される（たとえば特許文献１を参照）。
【０００３】
【特許文献１】特開２００５−１５５０４１号公報
【発明の開示】
【発明が解決しようとする課題】
【０００４】
最近、キッチンのベースキャビネットでは、スライド式の引出し収納部が多用され、各引出し収納部にはライン型の把手が設けられることが多い。一方、特許文献１に開示された二方框型の家具用扉では、一方の框部材に通常のハンドル型の把手が取り付けられている。したがって、特許文献１に開示された二方框型の家具用扉をキッチンの吊り戸棚に適用すると、ベースキャビネットと吊り戸棚との間でデザインの統一感を欠くことになる。
【０００５】
ベースキャビネットと吊り戸棚との間でデザインの統一感を良好に保つには、吊り戸棚の二方框型の家具用扉の下端にライン型の把手を設けることが求められる。しかしながら、引出し収納部では前板を挟み込む形態でライン型の把手を取り付けているため、引出し収納部用のライン型の把手を二方框型の家具用扉の下端にそのまま取り付けると、ライン型の把手と下側キャップ部材との間に前方からゴミが入り易く、外観的にも良くない。
【０００６】
本発明は、前述の課題に鑑みてなされたものであり、下側キャップ部材との間にゴミが入りにくく且つ外観的に良好な形態でライン型の把手が取り付けられた二方框型の家具用扉を提供することを目的とする。
【課題を解決するための手段】
【０００７】
前記課題を解決するために、本発明では、中央に配置された鏡板と、
前記鏡板を左右から挟み込んで前記鏡板の枠の一部を構成するための一対の框部材と、
前記鏡板を上下から挟み込んで前記鏡板の枠の一部を構成するための上側キャップ部材および下側キャップ部材と、
前記下側キャップ部材の下側においてほぼ一定の断面形状で横方向に細長く延びるライン型の把手とを備え、
前記下側キャップ部材は、ほぼ水平に延びる底部と、前方において前記底部から下方へ延びる垂下部とを有し、
前記ライン型の把手は、前記下側キャップ部材の前記垂下部の後側において前記底部に当接する当接部を有することを特徴とする二方框型の家具用扉を提供する。
【０００８】
本発明の好ましい態様によれば、前記ライン型の把手は、後方において前記当接部から上方へ延びる取付け部を有し、該取付け部を介して前記一対の框部材に取り付けられる。また、前記鏡板は、ガラスにより形成されていることが好ましい。
【発明の効果】
【０００９】
本発明の二方框型の家具用扉では、ほぼ一定の断面形状で横方向に細長く延びるライン型の把手が、家具用扉の下端に、すなわち下側キャップ部材の下側に設けられている。下側キャップ部材は、ほぼ水平に延びる底部と、前方において底部から下方へ延びる垂下部とを有する。ライン型の把手は、下側キャップ部材の垂下部の後側において底部に当接する当接部を有する。
【００１０】
したがって、下側キャップ部材の垂下部の作用により、下側キャップ部材とライン型の把手との間に前方からゴミが入りにくい。また、下側キャップ部材の垂下部の作用により、下側キャップ部材の底部とライン型の把手の当接部との隙間が外側から見えにくい。その結果、本発明では、下側キャップ部材との間にゴミが入りにくく且つ外観的に良好な形態でライン型の把手が取り付けられた二方框型の家具用扉を実現することができる。
【００１１】
なお、本発明では、ライン型の把手が後方において当接部から上方へ延びる取付け部を有し、この取付け部を介して一対の框部材に取り付けられることが好ましい。この構成により、外観的に良好な形態で二方框型の家具用扉の下端にライン型の把手を確実に取り付けることができる。
【００１２】
また、本発明では、鏡板はガラスにより形成されていることが好ましい。この構成により、さらに軽快な外観を保つことができる。
【発明を実施するための最良の形態】
【００１３】
本発明の実施形態を、添付図面に基づいて説明する。図１は、本発明の実施形態にかかる二方框型の家具用扉が適用された吊り戸棚を備えたキッチンの構成を概略的に示す斜視図である。図２は、図１の吊り戸棚の構成を概略的に示す斜視図である。図３は、本実施形態にかかる二方框型の家具用扉の構成を概略的に示す斜視図である。
【００１４】
図１を参照すると、キッチンの本体は、床Ｆの上に載置されたベースキャビネットＢＣを備えている。ベースキャビネットＢＣの上部には、キッチンに向かって左側から加熱調理部（ＩＨコンロ、ガスコンロなど）２１と、一対のカウンタ２２ａおよび２２ｂとが設けられ、この一対のカウンタ２２ａと２２ｂとの間にシンク２３が設けられている。また、シンク２３に隣接して、たとえば湯水混合型の水栓２４が設けられている。
【００１５】
ベースキャビネットＢＣは、９つの引出し収納部３１〜３９を備えている。すべての引出し収納部３１〜３９には、ほぼ一定の断面形状で横方向に細長く延びるライン型の把手３１ａ〜３９ａ（図面の明瞭化のために参照番号３５ａ〜３９ａの図示を省略）がそれぞれ設けられている。また、加熱調理部２１の上方にはレンジフード２１ａが壁面Ｗに取り付けられ、このレンジフード２１ａとほぼ高さに整列するようにウォールキャビネットＷＣが壁面Ｗに取り付けられている。本実施形態にかかる二方框型の家具用扉１は、例えばウォールキャビネットＷＣのすべての吊り戸棚に適用されているが、特に図１中右端の吊り戸棚２９に着目して本実施形態を説明する。
【００１６】
図２および図３を参照すると、本実施形態にかかる二方框型の家具用扉１が、片開き扉の形態で吊り戸棚２９に取り付けられている。二方框型の家具用扉１は、中央に配置された矩形状のガラス製の鏡板１０と、鏡板１０を左右から挟み込んで鏡板１０の枠の一部を構成する一対の框部材１１および１２と、鏡板１０を上下から挟み込んで鏡板１０の枠の一部を構成する一対のキャップ部材１３および１４とを備えている。二方框型の家具用扉１の下端、すなわち下側キャップ部材１４の下側には、ほぼ一定の断面形状で横方向に細長く延びるライン型の把手１５が設けられている。
【００１７】
本実施形態では、たとえば木製部材や樹脂やアルミニウムなどを用いて、一対の框部材１１および１２を形成することができる。また、たとえばアルミニウムや樹脂などを用いて、一対のキャップ部材１３および１４を形成することができる。また、たとえばアルミニウムのような適当な金属や樹脂などを用いて、ライン型の把手１５を形成することができる。
【００１８】
框部材１１，１２は、図４に示すような外観を有し、その内側面には鏡板１０との係合のための縦溝１１ａ，１２ａが形成され、その上端面にはビス用の穴１１ｂ，１２ｂが形成されている。上側キャップ部材１３は、図５に示すように、ほぼ水平に延びる平板部１３ａを有する。平板部１３ａの中央には鏡板１０との係合のための係合部１３ｂが設けられ、平板部１３ａの両端にはビス用の穴１３ｃが形成されている。
【００１９】
下側キャップ部材１４は、図６に示すように、ほぼ水平に延びる底部１４ａを有する。底部１４ａの中央には鏡板１０との係合のための係合部１４ｂが設けられ、底部１４ａの両端にはビス用の穴１４ｃが形成されている。ライン型の把手１５は、図７に示すように、Ｃ字状の断面形状で横方向に細長く延びる把手本体１５ａと、把手本体１５ａの後方部から上方へ延びる取付け部１５ｂとを有する。取付け部１５ｂの両端には、ビス用の穴１５ｃが形成されている。
【００２０】
図８は、図３の線Ａ−Ａに沿った断面図である。図９は、図３の線Ｂ−Ｂに沿った断面図である。図１０は、図３の線Ｃ−Ｃに沿った断面図である。図８および図９を参照すると、下側キャップ部材１４は、前方において底部１４ａから下方へ延びる垂下部１４ａａを有し、ライン型の把手１５は、下側キャップ部材１４の垂下部１４ａａの後側において底部１４ａに当接する当接部１５ａａを有する。また、ライン型の把手１５は、上述したように、後方において当接部１５ａａから上方へ延びる取付け部１５ｂを有し、この取付け部１５ｂを介して一対の框部材１１，１２に取り付けられる。
【００２１】
本実施形態では、図３および図９に示すように、たとえばビス１６を介して、上側キャップ部材１３の両端が一対の框部材１１および１２の上端に連結される。同様に、図９に示すように、たとえばビス１７を介して、下側キャップ部材１４の両端が一対の框部材１１および１２の下端に連結される。さらに、図９および図１１に示すように、たとえばビス１８を介して、ライン型の把手１５の取付け部１５ｂの両端が一対の框部材１１および１２の背面に連結される。
【００２２】
本実施形態の二方框型の家具用扉１では、ほぼ一定の断面形状で横方向に細長く延びるライン型の把手１５が、家具用扉１の下端に、すなわち下側キャップ部材１４の下側に設けられている。下側キャップ部材１４は、ほぼ水平に延びる底部１４ａと、前方において底部１４ａから下方へ延びる垂下部１４ａａとを有する。ライン型の把手１５は、下側キャップ部材１４の垂下部１４ａａの後側において底部１４ａに当接する当接部１５ａａを有する。
【００２３】
したがって、下側キャップ部材１４の垂下部１４ａａの作用により、下側キャップ部材１４とライン型の把手１５との間に前方からゴミが入りにくい。また、下側キャップ部材１４の垂下部１４ａａの作用により、下側キャップ部材１４の底部１４ａとライン型の把手１５の当接部１５ａａとの隙間が外側から見えにくい。その結果、本実施形態では、下側キャップ部材１４との間にゴミが入りにくく且つ外観的に良好な形態でライン型の把手１５が取り付けられた二方框型の家具用扉１を実現することができる。
【００２４】
また、本実施形態では、ライン型の把手１５が後方において当接部１５ａａから上方へ延びる取付け部１５ｂを有し、この取付け部１５ｂを介してビス１８により一対の框部材１１，１２にライン型の把手１５が取り付けられているので、外観的に良好な形態で二方框型の家具用扉の下端にライン型の把手を確実に取り付けることができる。また、本実施形態では、鏡板１０がガラスにより形成されているので、さらに軽快な外観が保たれている。
【００２５】
なお、上述の実施形態では、片開きの扉に対して本発明を適用しているが、これに限定されることなく、図１２および図１３に示すように、両開きの扉に対しても本発明を適用することができる。また、上述の実施形態では、吊り戸棚の扉に対して本発明を適用しているが、これに限定されることなく、たとえばキャビネット（収納庫）のような他の適当な家具の扉に対しても本発明を適用することができる。
【００２６】
また、上述の実施形態では、ガラス製の鏡板を有する扉に対して本発明を適用しているが、これに限定されることなく、たとえば樹脂のような他の適当な材料で形成された鏡板を有する扉に対しても本発明を適用することができる。
【図面の簡単な説明】
【００２７】
【図１】本発明の実施形態にかかる二方框型の家具用扉が適用された吊り戸棚を備えたキッチンの構成を概略的に示す斜視図である。
【図２】図１の吊り戸棚の構成を概略的に示す斜視図である。
【図３】本実施形態にかかる二方框型の家具用扉の構成を概略的に示す斜視図である。
【図４】框部材の外観を概略的に示す斜視図である。
【図５】上側キャップ部材の外観を概略的に示す斜視図である。
【図６】下側キャップ部材の外観を概略的に示す斜視図である。
【図７】ライン型の把手の外観を概略的に示す斜視図である。
【図８】図３の線Ａ−Ａに沿った断面図である。
【図９】図３の線Ｂ−Ｂに沿った断面図である。
【図１０】図３の線Ｃ−Ｃに沿った断面図である。
【図１１】ライン型の把手を取り付ける様子を示す斜視図である。
【図１２】図１に対応した図であって、両開きの扉に本発明を適用した例を概略的に示す斜視図である。
【図１３】図２に対応した図であって、両開きの扉に本発明を適用した例を概略的に示す斜視図である。
【符号の説明】
【００２８】
１  二方框型の家具用扉
１０  鏡板
１１，１２  框部材
１３  上側キャップ部材
１４  下側キャップ部材
１５  把手
１６〜１８  ビス
【図１】
2008025098.tif 000003
【図２】
2008025098.tif 000004
【図３】
2008025098.tif 000005
【図４】
2008025098.tif 000006
【図５】
2008025098.tif 000007
【図６】
2008025098.tif 000008
【図７】
2008025098.tif 000009
【図８】
2008025098.tif 000010
【図９】
2008025098.tif 000011
【図１０】
2008025098.tif 000012
【図１１】
2008025098.tif 000013
【図１２】
2008025098.tif 000014
【図１３】
2008025098.tif 000015